(57)【特許請求の範囲】
【請求項１】
発光演出を行う発光演出装置を備える遊技機において、
前記発光演出装置は、
外周端面である光導入端面から内部に導入された光が反射することで前側から視認可能となる図柄が夫々形成され、前後に重なる複数の透明パネルと、
前後に隣り合う前記透明パネルの間に配設されて、前記図柄の形成領域外で前記光導入端面に沿って延在する非光透過性の仕切り板と、
前記複数の透明パネルの光導入端面に沿って延在する発光体基板と、
前記発光体基板における前記複数の透明パネルとの対向面に、前記仕切り板を挟んで前後に位置する各透明パネルの光導入端面に沿って列をなすよう夫々配設され、当該対応する透明パネルの光導入端面へ向けて光を個別に照射可能な複数の発光体とを備え、
前後に隣り合う前記各透明パネルに対応する一方の発光体と他方の発光体とは、前後方向で重ならないように透明パネルの光導入端面に沿う方向でずれて配置され、
遊技球が流下可能な遊技領域が前面側に形成された遊技領域形成部材を備え、該遊技領域形成部材に形成されて前方または後方へ開口する嵌合部に、開口部が形成された枠状の保持部材が取り付けられ、
前記保持部材は、前記遊技領域形成部材の前面より前方に突出して該保持部材の開口部の後方に位置する表示装置の表示部と前記遊技領域とを区切る庇状部と、前記開口部の下縁部を画成する前記庇状部より下側に形成されて左右方向に延在し、前記遊技領域から遊技球が飛び込み得ると共に飛び込んだ遊技球を遊技領域に排出するステージとを備え、
前記複数の透明パネルは、前記保持部材の開口部の内側に取り付けられて、該複数の透明パネルの外周部が保持部材で覆われると共に、前記複数の透明パネルが前記遊技領域形成部材の嵌合部の開口内側に位置するよう構成され、
前記各透明パネルにおける前記発光体から光が照射される前記光導入端面と対向する該各透明パネルの下端面と前記保持部材の庇状部との間に、前後方向に開口して前記仕切り板によって前後の透明パネルの間に画成される空間を開放する隙間が形成され、
前記隙間は、前記ステージの左右方向の幅寸法より大きく設定されると共に、該隙間は横長の略矩形状に形成され、
前記表示装置の表示部と前記隙間との間に演出部材が配置されて、該演出部材によって前記隙間から前記表示部が直接視認し得ないよう構成した
ことを特徴とする遊技機。
【請求項２】
前記発光体基板を前後から挟持する非光透過性の基板保持部材を備え、前記複数の透明パネルにおける前記光導入端面側の端部を該基板保持部材により前後から覆うよう構成され、
前記各透明パネルに対応する複数の発光体は、該透明パネルの前記光導入端面に沿って直線状に並ぶよう配置され、
前記仕切り板における前記発光体基板との対向面に、前後に隣り合う前記発光体の間に臨む遮光部が設けられ、
前記遮光部は、前後の厚みが、該遮光部を挟んで前後に隣り合う各透明パネルに対応する一方の発光体の列と他方の発光体の列との間の離間寸法より小さく、かつ該遮光部の突出端が対向する前記発光体基板に接触しないよう構成されている請求項１記載の遊技機。
【発明の詳細な説明】
【技術分野】
【０００１】
本発明は、発光演出が可能な発光演出装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置(表示装置)を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成される。
【０００３】
このようなパチンコ機では、ＬＥＤ等の発光体を備えた発光演出装置が枠状装飾体等に配設されて、前記図柄表示装置の図柄変動演出に合わせて発光体を点灯・点滅等することにより演出効果の向上を図ることが行われている。このような発光演出装置として、凹凸により図柄が形成された乱反射領域を有する透明パネルと、該透明パネルの端面に対向するように配設した基板と、透明パネルの端面に整列するように基板に配設された複数の発光体とを備え、該発光体を点灯することで透明パネルの端面から導入された光を乱反射領域で乱反射させることで、透明パネルに形成した図柄が光って見えるようになる発光演出装置が提案されている(特許文献１参照)。
【先行技術文献】
【特許文献】
【０００４】
【特許文献１】特開２００８−５５７６１号公報
【発明の概要】
【発明が解決しようとする課題】
【０００５】
特許文献１に開示の発光演出装置では、発光体の点灯および消灯を切り替えることで、透明パネルに形成された図柄が発光表示された状態と非表示の状態とに変化させることにより発光演出を可能としている。しかしながら、発光体の点灯および消灯の切り替えにより、透明パネルに形成された図柄の表示および非表示が単独で変化するにすぎず、発光演出が単調で、興趣の更なる向上は期待できない。そこで、複数の透明パネルを前後の関係で重なるように配置すると共に、各透明パネルに対応するように複数の発光体を基板に配設し、各透明パネルに対応する発光体を選択的に点灯および消灯することで、異なる図柄を選択的に表示し得るようして演出のバリエーションを増やすことが可能となる。
【０００６】
ここで、基板に対して発光体を配設するに際しては、各発光体から発生する熱による温度上昇に起因して該発光体の発光効率の低下を招くことから、隣り合う各発光体の間に放熱スぺースを確保する必要がある。このため、複数の透明パネルを前後に重なるように配置する構成では、前後の透明パネルに対応する前後の発光体を放熱スぺースをあけて配設すると、該発光体の離間間隔に合わせて透明パネルの前後間隔を設定するために発光演出装置の前後寸法が大きくなってしまい、該発光演出装置を設置するために大きなスペースが必要となる難点を招いてしまう。
【０００７】
すなわち本発明は、従来の技術に係る遊技機に内在する前記課題に鑑み、これを好適に解決するべく提案されたものであって、興趣に富む発光演出を実現しつつ発光演出装置の設置スペースの省スペース化を図り得る遊技機を提供することを目的とする。
【課題を解決するための手段】
【０００８】
前記課題を解決するために、本願の請求項１に記載の発明では、
発光演出を行う発光演出装置(53)を備える遊技機において、
前記発光演出装置(53)は、
外周端面である光導入端面(55a,56a)から内部に導入された光が反射することで前側から視認可能となる図柄が夫々形成され、前後に重なる複数の透明パネル(55,56)と、
前後に隣り合う前記透明パネル(55,56)の間に配設されて、前記図柄の形成領域外で前記光導入端面(55a,56a)に沿って延在する非光透過性の仕切り板(61)と、
前記複数の透明パネル(55,56)の光導入端面(55a,56a)に沿って延在する発光体基板(74,75)と、
前記発光体基板(74,75)における前記複数の透明パネル(55,56)との対向面に、前記仕切り板(61)を挟んで前後に位置する各透明パネル(55,56)の光導入端面(55a,56a)に沿って列をなすよう夫々配設され、当該対応する透明パネル(55,56)の光導入端面(55a,56a)へ向けて光を個別に照射可能な複数の発光体(76,77)とを備え、
前後に隣り合う前記各透明パネル(55,56)に対応する一方の発光体(76)と他方の発光体(77)とは、前後方向で重ならないように透明パネル(55,56)の光導入端面(55a,56a)に沿う方向でずれて配置され、
遊技球が流下可能な遊技領域(21a)が前面側に形成された遊技領域形成部材(21)を備え、該遊技領域形成部材(21)に形成されて前方または後方へ開口する嵌合部(21b)に、開口部(42a)が形成された枠状の保持部材(42)が取り付けられ、
前記保持部材(42)は、前記遊技領域形成部材(21)の前面より前方に突出して該保持部材(42)の開口部(42a)の後方に位置する表示装置(17)の表示部(17a)と前記遊技領域(21a)とを区切る庇状部(44)と、前記開口部(42a)の下縁部を画成する前記庇状部(44)より下側に形成されて左右方向に延在し、前記遊技領域(21a)から遊技球が飛び込み得ると共に飛び込んだ遊技球を遊技領域(21a)に排出するステージ(46)とを備え、
前記複数の透明パネル(55,56)は、前記保持部材(42)の開口部(42a)の内側に取り付けられて、該複数の透明パネル(55,56)の外周部が保持部材(42)で覆われると共に、前記複数の透明パネル(55,56)が前記遊技領域形成部材(21)の嵌合部(21b)の開口内側に位置するよう構成され、
前記各透明パネル(55,56)における前記発光体(76,77)から光が照射される前記光導入端面(55a,56a)と対向する該各透明パネル(55,56)の下端面と前記保持部材(42)の庇状部(44)との間に、前後方向に開口して前記仕切り板(61)によって前後の透明パネル(55,56)の間に画成される空間を開放する隙間(S)が形成され、
前記隙間(S)は、前記ステージ(46)の左右方向の幅寸法より大きく設定されると共に、該隙間(S)は横長の略矩形状に形成され、
前記表示装置(17)の表示部(17a)と前記隙間(S)との間に演出部材(28)が配置されて、該演出部材(28)によって前記隙間(S)から前記表示部(17a)が直接視認し得ないよう構成したことを要旨とする。
【０００９】
請求項１の発明によれば、前後に重なるように複数の透明パネルを設けることで、対応する発光体の点灯・消灯の切り替えに応じて異なる図柄の表示・非表示を選択して切り替えることができ、バリエーションの豊かな発光演出を実現することができ、興趣を向上し得る。また、前後に隣り合う各透明パネルに対応する発光体を、前後方向に重ならないようにずらしているので、各発光体の周囲に放熱用のスぺースを確保しつつ発光体を配設するために必要となる前後寸法を小さく抑えることができ、発光演出装置を小型化して設置スペースの省スペース化を図り得る。
また、透明パネルにおける隙間に臨む外周端面から放熱し得るので、発光体からの熱や周囲温度によって透明パネルが熱変形するのを防止することができ、図柄を適正に表示し得る。しかも、前後に重なる透明パネルの間の空間が隙間を介して開放するので、該空間に熱気がこもるのを抑制することができ、透明パネルの熱変形を抑制し得る。
更に、透明パネルと庇状部との間に隙間を画成するようにしたので、該隙間を介して透明パネルの後側に位置する演出部材が前側から直接視認可能となり、演出の興趣を向上し得る。
また、遊技領域の内側で興趣のある発光演出を行うことができる。
【００１０】
請求項２に記載の発明では、前記発光体基板(74,75)を前後から挟持する非光透過性の基板保持部材(58)を備え、前記複数の透明パネル(55,56)における前記光導入端面(55a,56a)側の端部を該基板保持部材(58)により前後から覆うよう構成され、
前記各透明パネル(55,56)に対応する複数の発光体(76,77)は、該透明パネル(55,56)の前記光導入端面(55a,56a)に沿って直線状に並ぶよう配置され、
前記仕切り板(61)における前記発光体基板(74,75)との対向面に、前後に隣り合う前記発光体(76,77)の間に臨む遮光部(61a)が設けられ、
前記遮光部(61a)は、前後の厚みが、該遮光部(61a)を挟んで前後に隣り合う各透明パネル(55,56)に対応する一方の発光体(76)の列と他方の発光体(77)の列との間の離間寸法より小さく、かつ該遮光部(61a)の突出端が対向する前記発光体基板(74,75)に接触しないよう構成されていることを要旨とする。
請求項２の発明によれば、発光体を配設するために必要となる前後寸法をより小さく抑えることができる。
また、隣り合う別の透明パネルに向けて照射される光によって意図しない透明パネルの図柄が表示されてしまうのを防止することができる。
更に、透明パネルにおける発光体から光が照射される光導入端面に、外部からの光が照射されて意図しないときに図柄が表示されてしまうのを防止し得る。
【発明の効果】
【００１５】
本発明に係る遊技機によれば、興趣に富む発光演出を実現しつつ発光演出装置の設置スペースの省スペース化を図り得る。
【図面の簡単な説明】
【００１６】
【図１】実施例に係るパチンコ機を示す正面図である。
【図２】実施例に係る遊技盤を示す正面図である。
【図３】図２のＡ−Ａ線で示す要部断面図である。
【図４】実施例に係る枠状装飾体および分解したパネル発光装置を後下側から見た斜視図である。
【図５】実施例に係るパネル発光装置を後上側から見た要部分解斜視図である。
【図６】実施例に係るパネル発光装置を前上側から見た要部分解斜視図である。
【図７】実施例に係るパネル発光装置を前下側から見た要部分解斜視図である。
【図８】実施例に係るパネル発光装置を縦断して示す要部正面図である。
【図９】実施例に係るパネル発光装置のパネル発光体と透明パネルとの関係を示す説明図である。
【図１０】実施例に係るパネル発光装置の要部縦断側面図であって、(ａ)は第１の発光体基板における第１のパネル発光体の実装位置での断面であり、(ｂ)は第１の発光体基板における第２のパネル発光体の実装位置での断面である。
【図１１】実施例に係るパネル発光装置が配設された枠状装飾体の要部横断平面図であって、前後の透明パネルと枠状装飾体との固定部分を示している。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１８】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられると共に、遊技盤２０の後側に、図柄を変動表示可能な表示装置１７(図３参照)が着脱し得るよう配設されている。また、中枠１２の前面側には、遊技盤２０を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１９】
前記表示装置１７は、後述する始動入賞口へのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出(リーチ演出、予告演出、報知演出等)を表示部１７ａに表示し得るようになっている。実施例では、前記表示装置１７として、各種図柄や表示演出に係る画像を表示可能な液晶パネルを収容ケースに収容した液晶表示装置が採用されるが、これに限られるものではなく、有機ＥＬ(Electro-Luminescence)を用いた表示装置、あるいはドラム式の表示装置やドットマトリックス式の表示装置等の各種図柄を停止および変動表示可能な従来公知の各種の表示装置を用いることができる。
【００２０】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に配設された後述する枠状装飾体４２の左側の遊技領域２１ａをパチンコ球が流下する所謂「左打ち」と、該枠状装飾体４２の右側の遊技領域２１ａをパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記表示装置１７での図柄変動演出に合わせてランプ装置１８で発光演出を行ったりスピーカ１９で音声演出を行い得るよう構成されている。
【００２１】
(遊技盤２０について)
実施例の前記遊技盤２０は、図３に示すように、パチンコ球が流下可能な遊技領域２１ａが前面側に形成された板状部材(遊技領域形成部材)２１と、該板状部材２１の裏側に配設され、当該板状部材２１との間に収容空間２７を画成する設置部材(収容空間画成部材)２２とから構成されている。前記板状部材２１は、合成樹脂材やベニヤ材等から所定板厚の略矩形状に形成されており、図２に示す如く、前面(盤面)に配設された略円形状の案内レール２３によりパチンコ球が流下可能な遊技領域２１ａが画成されている。実施例の板状部材２１は、アクリル樹脂から形成された透明板であって、前記収容空間２７を板状部材２１の前面側から透視し得るようになっている。また、前記板状部材２１と設置部材２２との間の収容空間２７には、発光により演出を行う発光演出装置や、可動体の動作により演出を行う可動演出装置等の各種演出部材２８(図３参照)が設置されており、透明な板状部材２１を介して遊技盤２０の前面側から当該収容空間２７内の演出部材２８を遊技者が目視し得るよう構成されている。なお、前記表示装置１７は、設置部材２２の裏側に取り付けられて、後述するように設置部材２２に設けた開口部(可視部)２２ｃおよび枠状装飾体４２(後述)の開口部４２ａに配設されたパネル発光装置５３を介して遊技盤２０の前側から視認可能に臨むよう構成される。
【００２２】
前記案内レール２３は、図２に示すように、板状部材２１の左下部から右上部に至るよう左方向に膨出する円弧状に形成された外レール２４と、板状部材２１の右上部、右下部および左上部に至るよう右方向に膨出する円弧状に形成された内レール２５とから構成されている。前記内レール２５は、外レール２４の右上端部に連接して板状部材２１の右上部から下部に亘って配設され、左端縁が右方に凹む円弧状に形成された盤面飾り部材２５ａと、板状部材２１の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記板状部材２１の左上部に開放端が臨むよう配置されて、外レール２４との間に遊技領域２１ａに開口する発射口を画成するよう構成され、前記打球発射装置から発射されたパチンコ球が発射通路２６の下方開口から飛翔して、当該発射口から遊技領域２１ａ内に打ち出されるようになっている。
【００２３】
前記板状部材２１には、前後に貫通する装着口が前記遊技領域２１ａ内の適宜位置に開設されて、各装着口に対して各種の遊技盤設置部品が配設されている。なお、実施例の遊技盤２０には、遊技盤設置部品として枠状装飾体４２、第１の始動入賞部２９、第２の始動入賞部３０、第１の特別入賞部３１、第２の特別入賞部３２、普通入賞部３３,３４、ゲート部３５等を設置する装着口が形成されている。なお、図３には、枠状装飾体４２が設置される装着口２１ｂを図示してある。そして、前記遊技盤２０の板状部材２１において遊技領域２１ａの最下部位置に、該遊技領域２１ａの最下部位置まで流下したパチンコ球を遊技盤２０の外部に排出するアウト口３６が開設されている。すなわち、前記打球発射装置から発射されて遊技領域２１ａを流下するパチンコ球が前記遊技盤設置部品に設けられた入球部(第１の始動入賞部２９、第２の始動入賞部３０、第１の特別入賞部３１、第２の特別入賞部３２、普通入賞部３３,３４、ゲート部３５等)に入球することにより、入球した入球部に応じた賞球の払い出しや図柄変動演出の実行等の所定の遊技が行われ、遊技領域２１ａの最下部まで流下したパチンコ球がアウト口３６を介して機外に排出されるよう構成される。なお、前記装着口の形成数は、板状部材２１に対して取り付けられる遊技盤設置部品の配設位置や配設数等に応じて適宜に決定される。
【００２４】
また、前記板状部材２１には、前記遊技領域２１ａ内に多数の遊技釘３７が設けられると共に、後述する枠状装飾体４２の左側方に、遊技領域２１ａを流下するパチンコ球の接触に伴って回転する回転案内部材３８が回転自在に支持されており、遊技釘３７や回転案内部材３８との接触によりパチンコ球の流下方向が不規則に変化するよう構成されている。前記回転案内部材３８は、所謂「風車」とも称される部材であって、該回転案内部材３８の回転に伴ってパチンコ球を弾くように左右方向へ放出する部材である。
【００２５】
実施例の前記板状部材２１には、図２,図３に示すように、前記案内レール２３で囲まれた遊技領域２１ａの略中央の大部分が開口する装着口２１ｂに、前後に開口する枠状に形成された枠状装飾体４２が取り付けられ、該枠状装飾体４２の開口部４２ａの後方に、前記設置部材２２の開口部２２ｃが位置するようになっている。すなわち、前記枠状装飾体４２の開口部４２ａの後方に前記表示装置１７の表示部１７ａが位置するよう構成されている。
【００２６】
また、前記板状部材２１には、前記枠状装飾体４２の下方位置(アウト口３６の直上位置)に形成された装着口(図示せず)に、遊技領域２１ａを流下するパチンコ球が入賞可能な第１の始動入賞部２９が配設されている。第１の始動入賞部２９は、パチンコ球が入賞可能な第１始動入賞口が遊技領域２１ａ内で常に上方開口する常時開放型の入賞部とされ、遊技盤２０の遊技領域２１ａを流下するパチンコ球の流下態様に応じて任意のタイミングで第１始動入賞口にパチンコ球が入球(入賞)し得るよう構成されている。また、前記板状部材２１には、前記第１の始動入賞部２９の左側方(枠状装飾体４２の左下方位置)に形成された装着口(図示せず)に、遊技領域２１ａを流下するパチンコ球が入賞可能な普通入賞部３３が複数設けられた普通入賞ユニット３９が配設されている。なお、各普通入賞部３３は、前記第１の始動入賞部２９と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２７】
前記板状部材２１には、前記枠状装飾体４２の右側をパチンコ球が流下する遊技領域２１ａに、複数の装着口(図示せず)が上下離間して開設されており、上側の装着口から下側の装着口の順で、ゲート部３５、第２の始動入賞部３０、第１の特別入賞部３１および複合入賞ユニット４０が配設されている。前記ゲート部３５は、パチンコ球が通過可能なゲート入口およびゲート出口が遊技領域２１ａ内で常に上下に開口する常時開放型の入球部とされ、遊技盤２０の遊技領域２１ａを流下するパチンコ球の流下態様に応じて任意のタイミングでゲート入口をパチンコ球が入球(通過)して、ゲート出口を介して遊技領域２１ａに排出されるようになっている。また、第２の始動入賞部３０は、パチンコ球が入賞可能な第２始動入賞口を駆動手段の駆動に伴って開放可能に開閉部材３０ａで閉鎖する開閉型の入賞部とされており、遊技盤２０の遊技領域２１ａを流下するパチンコ球の流下態様および駆動手段の駆動による開閉部材３０ａの開放動作タイミングに応じて第２始動入賞口にパチンコ球が入賞し得るよう構成されている。同様に、第１の特別入賞部３１は、パチンコ球が入賞可能な第１特別入賞口を駆動手段の駆動に伴って開放可能に開閉部材３１ａで閉鎖する開閉型の入賞部とされており、遊技盤２０の遊技領域２１ａを流下するパチンコ球の流下態様および図示しない駆動手段の駆動による開閉部材３１ａの開放動作タイミングに応じて第１特別入賞口にパチンコ球が入賞し得るよう構成されている。
【００２８】
前記複合入賞ユニット４０は、第２の特別入賞部３２と普通入賞部３４とを備えている。第２の特別入賞部３２は、パチンコ球が入賞可能な第２特別入賞口を駆動手段の駆動に伴って開放可能に開閉部材３２ａで閉鎖する開閉型の入賞部とされており、遊技盤２０の遊技領域２１ａを流下するパチンコ球の流下態様および図示しない駆動手段の駆動による開閉部材３２ａの開放動作タイミングに応じて第２特別入賞口にパチンコ球が入賞し得るよう構成されている。また、複合入賞ユニット４０の普通入賞部３４は、前記普通入賞ユニット３９に設けられた普通入賞部３３と同様に、パチンコ球が入賞可能な普通入賞口が遊技領域２１ａ内で常に上方開口する常時開放型の入賞部とされ、遊技盤２０の遊技領域２１ａを流下するパチンコ球の流下態様に応じて任意のタイミングで普通入賞口にパチンコ球が入球(入賞)し得るようになっている。
【００２９】
前記第１の始動入賞部２９、第２の始動入賞部３０、第１の特別入賞部３１、第２の特別入賞部３２および普通入賞部３３,３４の夫々は、各対応の入賞口に入賞したパチンコ球を検出する入賞検出センサ(図示せず)を備えており、各入賞検出センサがパチンコ機１０の裏側に配設された制御装置に配線接続されている。そして、第１および第２の始動入賞部２９,３０が備える入賞検出センサの何れかによるパチンコ球の検出(パチンコ球を検出した検出信号の入力)に伴い特図当り判定条件(当り判定条件)が成立するようになっている。そして、特図当り判定条件が成立することで、特図当り(大当りや小当り)を生起させるか否かに関する特図当り判定が行われ、該判定結果が当りであった場合に、前記表示装置１７で行われる図柄変動演出の結果として所定の当り表示(例えば同一図柄の３つ揃い等)で飾図が確定停止表示されて、前記第１または第２の特別入賞部３１,３２の開閉部材３１ａ,３２ａを開放する遊技者に有利な当り遊技が付与されるよう構成されている。なお、実施例のパチンコ機１０では、特図当り判定条件が成立することで生起される特図当りの種類に応じて、第１の特別入賞部３１および第２の特別入賞部３２の何れかの開閉部材３１ａ,３２ａを開放する当り遊技が付与される。また、実施例のパチンコ機１０では、前記入賞検出センサがパチンコ球を検出することで賞球払出条件が成立するよう構成されており、当該賞球払出条件の成立に伴って制御装置が図示しない払出制御装置に制御信号を出力して、所定数の賞球が前記上球受け皿１４または下球受け皿１５に払い出されるようになっている。
【００３０】
前記ゲート部３５には、ゲート入口に入球して当該ゲート部３５を通過するパチンコ球を検出するゲートセンサ(図示せず)が設けられている。このゲートセンサは、パチンコ機１０の裏側に配設された制御装置に配線接続されており、該ゲートセンサから制御装置への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記第２の始動入賞部３０の開閉部材３０ａが開放作動されて、当該第２始動入賞口が開放するよう構成されている。なお、実施例では、前記ゲートセンサがパチンコ球を検出することによっては賞球払出条件が成立しないよう設定されており、パチンコ球のゲート部３５の通過に伴って賞球が払い出されないようになっている。
【００３１】
また、前記板状部材２１には、前記第１の始動入賞部２９の第１始動入賞口と前記回転案内部材３８との間に、該第１始動入賞口へ向けて下方傾斜する直線状に連続して前記遊技釘３７が設けられている。なお、以下の説明では、第１始動入賞口へ向けて下方傾斜する直線状に連続した遊技釘群を案内連釘４１と指称するものとする。また、前記案内連釘４１を構成する遊技釘３７は、適宜位置でパチンコ球が通過可能な隙間が空くよう設けられており、該案内連釘４１上を移動するパチンコ球が普通入賞ユニット３９の普通入賞口やアウト口３６側へ流下し得るようになっている。
【００３２】
(設置部材２２について)
前記設置部材２２は、前記板状部材２１の外郭形状より小さな略矩形状に形成された背面板２２ａと、該背面板２２ａの外周縁部から前方に突出する外周壁部２２ｂとから前方に開口した箱状に形成されて(図３参照)、該外周壁部２２ｂの開口前端部を板状部材２１の裏面に当接させた状態で、当該板状部材２１と設置部材２２とがネジにより固定される。また、前記設置部材２２の背面板２２ａには、図３に示す如く、前記枠状装飾体４２の開口部４２ａと前後に整列する位置に、略矩形状の開口部２２ｃが前後に開口するよう開設されると共に、該背面板２２ａの裏側に前記表示装置１７が着脱自在に取り付けられて、該開口部２２ｃを介して表示装置１７の表示部１７ａが設置部材２２(遊技盤２０)の前側に臨むようになっている。そして、前記設置部材２２において開口部２２ｃを囲繞する周囲に各種演出部材２８が設置されて、設置部材２２を基材とする１つのユニットとして扱い得るようになっている。
【００３３】
(枠状装飾体４２について)
次に、前記枠状装飾体４２について詳細に説明する。前記枠状装飾体４２は、図２,図３,図４に示す如く、前記板状部材２１に開設された枠状装飾体４２が配設される装着口(嵌合部)２１ｂの内側に沿って延在する環状に形成された枠状基部４３と、該枠状基部４３に設けられて前記板状部材２１の前面より前方に突出し、前記遊技領域２１ａと表示装置１７の表示部１７ａを区切る庇状部４４と、該庇状部４４の後縁から外方に延出する薄板状の台板部４５とを備える。そして、前記枠状基部４３を装着口２１ｂに挿入すると共に台板部４５を板状部材２１の前面に当接した状態で、該台板部４５をネジ等の固定手段で板状部材２１に固定することで、枠状装飾体４２が板状部材２１に取り付けられて、該枠状装飾体４２の外側、具体的には庇状部４４と案内レール２３との間にパチンコ球が流下する遊技領域２１ａが画成されるようになっている。なお、枠状装飾体４２を板状部材２１に取り付けた状態で、庇状部４４の後端縁から外方に延出する台板部４５が板状部材２１の前面に沿って延在して、該台板部４５の前側をパチンコ球が通り得るよう構成される。また、枠状装飾体４２は、全体が透明な合成樹脂製とされており、透明な板状部材２１の前側に台板部４５を重ねた状態で、該台板部４５および板状部材２１を介して裏側を透視可能に構成されている。
【００３４】
前記枠状装飾体４２の庇状部４４は、前記枠状基部４３の全周に亘って連続して延在するよう設けられており、前記遊技領域２１ａから開口部４２ａ内にパチンコ球が飛び込むのを規制して、前記表示装置１７における表示部１７ａの前側をパチンコ球が移動しないように構成してある。また庇状部４４は、最上部位置から左右方向に下方傾斜するよう形成されて、遊技領域２１ａに打ち出されたパチンコ球が庇状部４４上で滞ることなく枠状装飾体４２の左側方または右側方へ誘導案内されるよう形成されている。
【００３５】
前記枠状装飾体４２には、図２に示す如く、前記開口部４２ａの下縁部を画成する庇状部４４から外方(下方)に延出する台板部４５における装着口２１ｂに臨む部位に、後方に凹むステージ４６が左右方向に所定長さで設けられており、該ステージ４６には前面開口から遊技領域２１ａを流下するパチンコ球が、前記案内連釘４１等に接触して跳ね上がって飛び込み得るよう構成される。そして、ステージ４６に飛び込んだパチンコ球は、ステージ４６上を左右に転動した後に、前記第１の始動入賞部２９が設けられている遊技領域２１ａに排出されるようになっている。
【００３６】
前記枠状装飾体４２は、図３に示すように、前記環状の枠状基部４３により形成される開口内側の上部位置に上部発光演出装置５０および上部可動演出装置５１が配設されている。また枠状装飾体４２には、前記枠状基部４３における上部発光演出装置５０の配設位置より下側の内側面に、開口部４２ａ内側に張り出す支持縁部４７が設けられると共に、支持縁部４７には、該支持縁部４７の延在方向に沿って離間して複数箇所(実施例では４箇所)に、後方へ向けて突出するパネル固定部４８,４９が設けられている(図４参照)。そして、枠状基部４３の開口内側において上部発光演出装置５０の下方位置に、複数のパネル固定部４８,４９を介してパネル発光装置(発光演出装置)５３が固定されるように構成される。実施例では、パネル固定部４８,４９は、支持縁部４７における上部発光演出装置５０を挟む左右両側の２箇所に上部パネル固定部４８が設けられると共に、前記ステージ４６から上方に離間した左右両側の２箇所に下部パネル固定部４９が設けられて、枠状基部４３の内側で上下左右に離間する４箇所でパネル発光装置５３が枠状装飾体４２に位置決め固定されるようになっている。各パネル固定部４８,４９は円柱状に形成されると共に、後方に向けてネジ孔４８ａ,４９ａが開口するように形成されている。
【００３７】
(上部発光演出装置５０について)
前記上部発光演出装置５０は、当該上部発光演出装置５０の略全体が前記設置部材２２に開設された開口部２２ｃの開口上縁よりも上方に位置するよう配置されており、当該設置部材２２の背面板２２ａの前方に上部発光演出装置５０が位置している(図３参照)。上部発光演出装置５０は、前記枠状基部４３に取り付けられる取付基体５２の前面に上部発光基板５０ａが配設されると共に、該上部発光基板５０ａの前面には前側に向けて光を照射するＬＥＤ等の発光体５０ｂが所要のパターンで複数実装されている。また取付基体５２には、光拡散処理が施された光透過性の光拡散部材５０ｃが、前記上部発光基板５０ａの前側を覆うように取り付けられており、発光体５０ｂから照射された光によって光拡散部材５０ｃの全体が明輝して発光演出効果を向上し得るようになっている。更に、取付基体５２には、光拡散部材５０ｃの前側の一部を覆う光透過性の光透過装飾部材５０ｄが取り付けられている。この光透過装飾部材５０ｄは、透明部材を光透過度が不均一となるように着色して構成されており、裏側の光拡散部材５０ｃが明輝した際には光透過装飾部材５０ｄの光透過度の違いによって発光演出効果が向上し得るようにしてある。
【００３８】
(上部可動演出装置５１について)
前記上部可動演出装置５１は、図３に示す如く、前記取付基体５２に配設されたソレノイド等の駆動手段５１ａと、前記光拡散部材５０ｃの前側に配置された可動体５１ｂと、駆動手段５１ａと可動体５１ｂとを連結する作動機構５１ｃ(図４参照)とを備える。そして、駆動手段５１ａを駆動することで、可動体５１ｂが待機位置(図２の実線位置)と作動位置(図２の二点鎖線位置)との間で移動するよう構成される。実施例の可動体５１ｂは、前記光透過装飾部材５０ｄと同様に光透過性に構成されると共に、該光透過装飾部材５０ｄと待機位置で合体して１つの意匠を形成するよう構成されている。そして、可動体５１ｂを待機位置から作動位置に移動することで、意匠が分離する演出を行い得るようになっている。なお、実施例では、前記取付基体５２に２つの上部可動演出装置５１が配設されて、待機位置において一対の可動体５１ｂ,５１ｂが光透過装飾部材５０ｄの下側で左右に並ぶと共に、作動位置では各可動体５１ｂ,５１ｂが光透過装飾部材５０ｄから下側に離間して前記パネル発光装置５３の前側上部に重なるように構成されている。また実施例では、前記上部発光演出装置５０と上部可動演出装置５１,５１とは、取付基体５２を基材とする１つのユニットとして扱い得るようになっている。
【００３９】
(パネル発光装置５３について)
前記パネル発光装置５３は、図３に示す如く、前記設置部材２２における開口部２２ｃの前方に位置する図柄パネル体５４を備えており、当該図柄パネル体５４が前記表示装置１７の表示部１７ａの前方に重なるように位置している。すなわち、表示装置１７の表示部１７ａは、前記パネル発光装置５３の図柄パネル体５４を介して遊技盤２０の前方から視認し得るようになっている。そして、パネル発光装置５３では、図柄パネル体５４の後述する透明パネル５５,５６を用いた発光演出を表示部１７ａの前側で行うことで演出の興趣を向上するよう構成されている。
【００４０】
前記パネル発光装置５３について詳細に説明する。パネル発光装置５３は、図３に示すように、前記表示装置１７の表示部１７ａの前方に重なるよう前記枠状装飾体４２の開口内側に配置されると共に前側から後方を透視可能な透明な前記図柄パネル体５４と、該図柄パネル体５４の外周部(上部)に設けられ、当該図柄パネル体５４へ向けて光を照射する照明部７３とを備えており、当該照明部７３から図柄パネル体５４の外周面へ向けて照射された光により、前側から視認可能となる図柄が表示装置１７の表示部１７ａの前方に表示されるよう構成されている。すなわち、前記図柄パネル体５４は、前記遊技盤２０(板状部材２１)に形成された装着口(嵌合部)２１ｂの開口内側に位置するよう配設されると共に、当該装着口２１ｂの内周面と図柄パネル体５４の外周面との間に照明部７３(後述する発光体基板７４,７５)が配設されている。また、前記パネル発光装置５３は、前記枠状装飾体４２において前記上部発光演出装置５０を取り付けた状態で画成される開口領域(上部発光演出装置５０より下方の開口領域)の大部分を覆うよう構成されている。すなわち、前記枠状装飾体４２に形成された開口部４２ａは、前記上部発光演出装置５０およびパネル発光装置５３により略全体が塞がれるよう構成されている。なお、前記枠状装飾体４２において、前記上部発光演出装置５０を取り付けた状態で画成される開口領域を、パネル発光装置５３の設置開口と称する場合がある。
【００４１】
(図柄パネル体５４について)
前記図柄パネル体５４は、図３,図４に示すように、外周端面から内部に導入された光が反射することで前側から視認可能となる図柄が形成されて前後に重なる複数(実施例では２つ)の透明パネル５５,５６と、該透明パネル５５,５６を保持するパネル保持部材(基板保持部材)５８とから構成され、パネル保持部材５８および透明パネル５５,５６が前記枠状装飾体４２に対して着脱可能に取り付けられるようになっている。そして、図柄パネル体５４を板状部材２１の枠状基部４３の内側に取り付けた状態で、複数の透明パネル５５,５６が板状部材２１の前記装着口２１ｂの開口内側に位置するよう構成されている(図３参照)。また、前記パネル保持部材５８には、前記照明部７３が着脱可能に取り付けられるよう構成されて、当該図柄パネル体５４を枠状装飾体４２に取り付けることで、パネル発光装置５３が枠状装飾体４２に配設されるようになっている。
【００４２】
(透明パネル５５,５６について)
前記図柄パネル体５４は、図３,図４に示すように、前側に位置する透明な第１の透明パネル５５と、当該第１の透明パネル５５の裏側に重なるよう配設される透明な第２の透明パネル５６とから構成される。前記第１の透明パネル５５は、上端部が左右方向(照明部７３の発光体基板７４,７５と平行な方向)に直線上に延在すると共に前記枠状装飾体４２における枠状基部４３の内周縁に沿う外郭形状に形成された透明な平板状の部材であって、図柄パネル体５４を枠状装飾体４２に取り付けた状態で、当該第１の透明パネル５５の前面外周部が枠状基部４３の前記支持縁部４７の後面に当接するよう構成されている(図１１参照)。なお、第１の透明パネル５５における左右方向に直線上に延在する外周端面について、以後、第１光導入端面５５ａと指称するものとする。
【００４３】
前記第１の透明パネル５５の上端部には、図４,図５,図６に示す如く、前記第１光導入端面５５ａの延在方向に離間して前後に貫通する複数(実施例では３つ)の第１貫通孔５５ｂが形成されており、各第１貫通孔５５ｂに、前記パネル保持部材５８の後述する前保持体５９に設けた対応する固定突部６２が挿通されるようになっている。また、第１の透明パネル５５の上端部には、左右方向の中央および左右両端部に、前記パネル保持部材５８の後述する基板保持部６３,６４,６５に係合して位置決めされる第１位置決め部５５ｃが夫々設けられている(図８参照)。なお、複数の第１貫通孔５５ｂの離間間隔は異なるように設定されて、第１の透明パネル５５の前後面を反転した状態では、前保持体５９に設けた少なくとも１つ(実施例では中央)の固定突部６２が第１の透明パネル５５の板面に当接して第１貫通孔５５ｂには挿通不能となるよう構成されている。
【００４４】
前記第１の透明パネル５５の外周縁には、前記枠状基部４３の支持縁部４７における下部側に形成された２つの下部パネル固定部４９,４９と対応する位置に、当該下部パネル固定部４９を挿通可能な切欠部５５ｄが夫々形成されている。すなわち、各切欠部５５ｄに対応する下部パネル固定部４９を挿通した状態で、該第１の透明パネル５５の前面を前記支持縁部４７の後面に当接することで、枠状装飾体４２に対して当該第１の透明パネル５５が位置決めされるようになっている(図１１参照)。なお、第１の透明パネル５５に形成される各切欠部５５ｄは、対応する下部パネル固定部４９の配設位置に対応して開放向きが異なっている。すなわち、図４に示す如く、一方(図４の右側)の切欠部５５ｄが側方に向けて開放するのに対し、他方(図４の左側)の切欠部５５ｄが下方に向けて開放している。
【００４５】
前記第２の透明パネル５６は、図３,図４に示すように、前記第１の透明パネル５５の外郭形状と整合する外郭形状に形成された透明な平板状の部材であって、第１の透明パネル５５と第２の透明パネル５６とを前後に重ね合わせた際に、両パネル５５,５６の外周縁が前後に整合するようになっている。すなわち、前記第２の透明パネル５６は、前記第１の透明パネル５５と同様に、上端部が左右方向(照明部７３の発光体基板７４,７５と平行な方向)に直線上に延在すると共に前記枠状装飾体４２における枠状基部４３の内周縁に沿う外郭形状に形成されており、枠状基部４３の開口の大部分を第２の透明パネル５６で塞ぐよう構成されている。なお、第２の透明パネル５６における左右方向に直線上に延在する外周端面について、以後、第２光導入端面５６ａと指称するものとする。
【００４６】
前記第２の透明パネル５６の上端部には、図４,図５,図６に示す如く、前記第２光導入端面５６ａの延在方向に離間して前後に貫通する複数(実施例では３つ)の第２貫通孔５６ｂが形成されている。複数の第２貫通孔５６ｂは、前記第１の透明パネル５５の各第１貫通孔５５ｂと対応する位置に形成されており、対応する第１貫通孔５５ｂに挿通されて該第１の透明パネル５５の後方に突出する前記前保持体５９の固定突部６２が該第２貫通孔５６ｂに挿通されるようになっている。すなわち、複数の第２貫通孔５６ｂの離間間隔についても異なるように設定されており、第２の透明パネル５６の前後面を反転した状態では、該第２の透明パネル５６に設けた少なくとも１つ(実施例では中央)の第２貫通孔５６ｂが第１の透明パネル５５の第１貫通孔５５ｂと前後に整合しないよう構成されている。また、第１の透明パネル５５と第２の透明パネル５６とを全ての第１貫通孔５５ｂおよび第２貫通孔５６ｂが前後に整合するように重ね合わせた状態で前後逆向きとした場合は、第１の透明パネル５５を前後反転した場合と同様に、前記前保持体５９に設けた少なくとも１つ(実施例では中央)の固定突部６２が第２の透明パネル５６の板面に当接して第２貫通孔５６ｂには挿通不能となって、透明パネル５５,５６に対してパネル保持部材５８が適正には取り付けられないようになっている。また、第２の透明パネル５６の上端部には、左右方向の中央および左右両端部に、前記パネル保持部材５８の後述する基板保持部６８,６９,７０に係合して位置決めされる第２位置決め部５６ｃが夫々設けられている。
【００４７】
前記第２の透明パネル５６の外周縁には、図１１に示す如く、前記枠状基部４３の支持縁部４７における下部側に形成された２つの下部パネル固定部４９,４９と対応する位置に、当該下部パネル固定部４９のネジ孔４９ａに整合する通孔５６ｄが夫々形成されている。また、第２の透明パネル５６の前面(第１の透明パネル５５との対向面)には、下部パネル固定部４９が嵌合可能なＵ字状の嵌合部５６ｅが通孔５６ｄを囲繞するように夫々突設されている。すなわち、第１の透明パネル５５の各切欠部５５ｄに挿通した下部パネル固定部４９を、第２の透明パネル５６の嵌合部５６ｅに嵌合すると共に該嵌合部５６ｅの前面を第１の透明パネル５５の後面に当接することで、枠状基部４３(枠状装飾体４２)および第１の透明パネル５５に対して第２の透明パネル５６が位置決めされるようになっている。そして、各通孔５６ｄに後側から挿通したネジ５７を対応する下部パネル固定部４９のネジ孔４９ａに螺挿することで、２枚の透明パネル５５,５６が嵌合部５６ｅの突出寸法だけ離間した状態で枠状装飾体４２に固定されるよう構成される。なお、第２の透明パネル５６の嵌合部５６ｅは、第１の透明パネル５５の切欠部５５ｄと同様に、対応する下部パネル固定部４９の配設位置に対応して開放向きが異なっている。すなわち、一方(図４の右側)の嵌合部５６ｅが側方に向けて開放するのに対し、他方(図４の左側)の嵌合部５６ｅが下方に向けて開放している。
【００４８】
ここで、前記第１の透明パネル５５と第２の透明パネル５６の裏面には、微小な凹凸を形成することで所要の図柄が描かれており、各透明パネル５５,５６の外周端面から内部に入射した光が図柄を表わす微小凹凸部分で反射することで、該図柄が明輝されて前側から視認し得るよう構成される。この透明パネル５５,５６の図柄は、透明パネル５５,５６の透明性を損なわない程度の密度および大きさの凹凸により描かれており、各透明パネル５５,５６の外周端面から内部に光が入射していない状態で前面側から殆ど視認し得ないようになっている。更に、各透明パネル５５,５６の後方に重なった前記表示装置１７の表示部１７ａの表示内容に前記各透明パネル５５,５６に描かれた図柄が紛れることで、遊技盤２０の前側から視認し難くなっている。また、第１および第２の透明パネル５５,５６に対して前面および後面から照射される光は前記図柄を表す微小凹凸部分で殆ど反射することなく透過して、該図柄を前側から殆ど視認し得ないよう構成される。すなわち、第１および第２の透明パネル５５,５６の図柄は、裏側に位置する前記表示装置１７の表示部１７ａの光が照射されたときには浮き出るように表示されることなく、前記照明部７３から照射された光が外周端面から内部に導入されたときに前側から視認可能となって浮き出るように表示される。ここで、前記第１の透明パネル５５および第２の透明パネル５６の夫々には、異なる図柄が形成されており、第１の透明パネル５５の外周端面から内部に光が入射した場合と、第２の透明パネル５６の外周端面から内部に光が入射した場合とで異なる図柄が浮き出るように表示されるようになっている。なお、透明パネル５５,５６に形成する図柄としては、パチンコ機１０のモチーフとなるキャラクターに関連する図柄や、一般的な幾何学模様、その他の模様であってもよく、また模様に限らず文字等であってもよい。
【００４９】
また、前記透明パネル５５,５６に対する図柄の形成方法としては、レーザー彫刻方法等、各種の方法を用いることが可能である。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凹凸からなる図柄を表面に形成する方法を採用できる。また、フィルムの表面に、透明な紫外線硬化樹脂による転写用の凸模様と、その凸模様に施した転写用の印刷インク層とを形成し、凸模様の印刷インク層をキャビティに向けて配置した金型を用いてインモールド成形により透明パネルを成形し、得られた透明パネルからフィルムを剥離することで、紫外線硬化樹脂による印刷インク層の転写により図柄を表面に形成する方法も採用可能である。
【００５０】
(パネル保持部材５８について)
前記パネル保持部材５８は、図４,図８に示すように、前記枠状装飾体４２の開口部４２ａを横切るように左右方向に直線状に延在する前保持体５９および後保持体６０を備え、前後に重ね合わせた前記透明パネル５５,５６における光導入端面５５ａ,５６ａ側の端部(実施例では上端部)を両保持体５９,６０で前後から覆うように挟んだ状態で、該透明パネル５５,５６にパネル保持部材５８が取り付けられる。また、パネル保持部材５８は、両透明パネル５５,５６における光導入端面５５ａ,５６ａ側の端部(実施例では上端部)の間に配設される仕切り板６１を備え、該仕切り板６１によって両透明パネル５５,５６の離間間隔を一定に保持するよう構成される。そして、前記上部発光演出装置５０を取り付けた状態での枠状装飾体４２における開口部４２ａを、パネル保持部材５８が上部発光演出装置５０の下端縁に沿って横切るように延在している。
【００５１】
(前保持体５９について)
前記前保持体５９は、表面に装飾が施された非光透過性の装飾部材であって、図５に示す如く、前記第１の透明パネル５５における上端部の前面(第１光導入端面５５ａの前側)全体を覆う前面被覆部５９ａと、該前面被覆部５９ａの下端部から後方へ突出するように形成されて前面被覆部５９ａの全長に亘って延在する下壁部５９ｂとから断面が略Ｌ字状をなすよう形成されている。また、前保持体５９の裏面に、前記透明パネル５５,５６に形成された貫通孔５５ｂ,５６ｂと対応する位置に、後方に突出する固定突部６２が夫々設けられている。そして、各固定突部６２を透明パネル５５,５６の対応する貫通孔５５ｂ,５６ｂに前方から挿通すると共に、下壁部５９ｂの後端を第１の透明パネル５５の前面に当接することで、両透明パネル５５,５６に対して前保持体５９が位置決めされるようになっている(図１０参照)。各固定突部６２は円柱状に形成されると共に、後方に向けてネジ孔６２ａが開口するように形成されている。
【００５２】
前記前保持体５９における前面被覆部５９ａの裏面に、図５に示す如く、左右方向に離間して複数の基板保持部６３,６４,６５が設けられており、左右方向に対向する一対の基板保持部６３,６４,６５によって前記照明部７３の後述する発光体基板７４,７５を位置決め保持するよう構成されている。なお、基板保持部６３,６４,６５の構成の詳細については、前記後保持体６０に設けられる基板保持部６８,６９,７０との関係で後述する。
【００５３】
(後保持体６０について)
前記後保持体６０は、非光透過性の部材であって、図６,図７に示す如く、前記前保持体５９の前面被覆部５９ａの後方に対向する横長矩形板状に形成されて第２の透明パネル５６における上端部の前面(第２光導入端面５６ａの後側)全体を覆う後面壁部６０ａと、当該後面壁部６０ａの上端から前方へ延出する上壁部６０ｂと、後面壁部６０ａの左右両端部に設けられて前方に突出する規制壁部６０ｃ,６０ｃとを備える。後面壁部６０ａの下端部には、前記前保持体５９の固定突部６２と前後に整列する位置に、前方に開口する第１嵌凹部６６が形成されると共に、該第１嵌凹部６６には前後に貫通する通孔６６ａが形成されている。そして、前記第２の透明パネル５６の第２貫通孔５６ｂから後方に突出する固定突部６２の突出端部を対応する第１嵌凹部６６に嵌合すると共に後面壁部６０ａを第２の透明パネル５６の裏面に当接した状態で、通孔６６ａに後側から挿通したネジを固定突部６２のネジ孔６２ａに螺挿することで、２枚の透明パネル５５,５６を挟んで前後の保持体５９,６０が固定されるようになっている。
【００５４】
前記後保持体６０の各規制壁部６０ｃには、前記固定突部６２が第２貫通孔５６ｂに挿通された第２の透明パネル５６の上端部における第２光導入端面５６ａの左右両端部が当接すると共に、該第２の透明パネル５６の左右両側端面が当接する規制面６０ｄが設けられている。すなわち、左右の規制壁部６０ｃ,６０ｃの規制面６０ｄ,６０ｄによって、後保持体６０に対する第２の透明パネル５６の上方および左右方向の位置規制がなされるようになっている。また各規制壁部６０ｃには、前記枠状装飾体４２に設けた前記上部パネル固定部４８に対応する位置に、前方に開口する第２嵌凹部６７が形成されると共に、該第２嵌凹部６７には前後に貫通する通孔６７ａが形成されている。そして、上部パネル固定部４８,４８の突出端部を第２嵌凹部６７,６７に嵌合した状態で、各通孔６７ａに後側から挿通したネジを対応する上部パネル固定部４８のネジ孔４８ａに螺挿することで、前記図柄パネル体５４の上部が枠状装飾体４２に固定されるようになっている。すなわち、実施例の前記図柄パネル体５４(パネル発光装置５３)は、透明パネル５５,５６を保持するパネル保持部材５８および透明パネル５５,５６を対応するパネル固定部４８,４９にネジ止めすることで枠状装飾体４２に固定されるよう構成されている。そして、図柄パネル体５４における透明パネル５５,５６の外周部は枠状装飾体４２で覆われるようになっており、実施例では枠状装飾体４２が、透明パネル５５,５６の外周部を覆う枠状の保持部材として機能している。
【００５５】
前記図柄パネル体５４を枠状装飾体４２の設置開口に取り付けた状態で、図２,図３に示す如く、各透明パネル５５,５６における光導入端面５５ａ,５６ａと対向する外周端面(下端面)と、前記ステージ４６の上方に位置する庇状部４４との間に隙間Ｓが形成されている。この隙間Ｓは、前後方向に開口しており、該隙間Ｓを介して前記設置部材２２の収容空間２７に配置された演出部材２８を透明パネル５５,５６を介することなく遊技盤２０の前側から直接視認可能に構成されている。すなわち、実施例のパネル発光装置５３は、前記枠状装飾体４２において前記上部発光演出装置５０を取り付けた状態で画成される開口領域(上部発光演出装置５０より下方の開口領域)を、隙間Ｓを除いて覆うよう構成されている。また隙間Ｓは、図２に示す如く、ステージ４６の左右方向の幅寸法より大きく設定されると共に、透明パネル５５,５６の外周端面と庇状部４４とで画成される隙間Ｓが横長の略矩形状に形成されている。なお、前記設置部材２２の開口部２２ｃから前側に臨む前記表示装置１７における表示部１７ａと隙間Ｓとの間に前記演出部材２８が位置して、隙間Ｓから表示部１７ａが直接視認し得ないようになっている。
【００５６】
(基板保持部６３,６４,６５,６８,６９,７０について)
前記透明パネル５５,５６に前記パネル保持部材５８を取り付けた状態で、前後の保持体５９,６０によって前記照明部７３の後述する発光体基板７４,７５を前後から挟持するよう構成される(図１０参照)。また、前記後保持体６０における後面壁部６０ａの前面には、図６,図７に示す如く、左右方向に離間して複数の基板保持部６８,６９,７０が設けられている。これら基板保持部６８,６９,７０は、前記前保持体５９に設けた各基板保持部６３,６４,６５と前後に対向する位置に設けられており、前後の基板保持部６３,６４,６５,６８,６９,７０によって発光体基板７４,７５を位置決め保持するよう構成されている。前後の基板保持部は、左右方向の中央に位置する前後の中央基板保持部６３,６８と、左側に位置する前後の左基板保持部６４,６９および右側に位置する前後の右基板保持部６５,７０からなり、中央基板保持部６３,６８と左基板保持部６４,６９との間に後述する第１の発光体基板７４を位置決め保持すると共に、中央基板保持部６３,６８と右基板保持部６５,７０との間に後述する第２の発光体基板７５を位置決め保持するよう構成される。
【００５７】
前記前中央基板保持部６３の左側部には、後方および前左基板保持部側に開口する前溝７１が形成されると共に、前左基板保持部６４には後方および前中央基板保持部側に開口する前溝７１が形成されている。また、後中央基板保持部６８の左側部には、前方および後左基板保持部側に開口する後溝７２が形成されると共に、後左基板保持部６９には前方および後中央基板保持部側に開口する後溝７２が形成されている。そして、前記前後の保持体５９,６０の間において第１の発光体基板７４は、該第１の発光体基板７４の４隅が対応する前溝７１および後溝７２に嵌合して上下および左右方向の位置が規制された状態で保持されるようになっている(図８参照)。同様に、前中央基板保持部６３の右側部には、後方および前右基板保持部側に開口する前溝７１が形成されると共に、前右基板保持部６５には後方および前中央基板保持部側に開口する前溝７１が形成されている。また、後中央基板保持部６８の右側部には、前方および後右基板保持部側に開口する後溝７２が形成されると共に、後右基板保持部７０には前方および後中央基板保持部側に開口する後溝７２が形成されている。そして、前後の保持体５９,６０の間において第２の発光体基板７５は、該第２の発光体基板７５の４隅が対応する前溝７１および後溝７２に嵌合して上下および左右方向の位置が規制された状態で保持されるようになっている(図８参照)。
【００５８】
前記前保持体５９の前面被覆壁５９ａには、発光体基板７４,７５の前端縁に形成された後述する位置決め凹部７４ａ,７５ａに嵌る位置決め突部５９ｃ,５９ｄが突設されている。なお、図５に示す如く、前中央基板保持部６３と前左基板保持部６４との間に形成される第１位置決め突部５９ｃと、前中央基板保持部６３と前右基板保持部６５との間に形成される第２位置決め突部５９ｄとでは、形成数および形成位置が異なるように設定されて、発光体基板７４,７５が左右で異なる位置に取り付けられたり、前後が逆向きで取り付けられるのを防止し得るようになっている。具体的には、１つの第１位置決め突部５９ｃが、前中央基板保持部６３と前左基板保持部６４との間における左右方向の中央より前中央基板保持部側に偏った位置に形成されるのに対し、２つの第２位置決め突部５９ｄが、前中央基板保持部６３と前右基板保持部６５との間における左右方向の中央より前中央基板保持部側に偏った位置および前右基板保持部側に偏った位置の夫々に形成されている。
【００５９】
前記後保持体６０の後面壁部６０ａには、図６,図７に示す如く、後中央基板保持部６８と左後基板保持部６９との間および後中央基板保持部６８と後右基板保持部７０との間に、後溝７２,７２に連通するように凹溝６０ｅが左右方向に延在するように夫々形成されており、発光体基板７４,７５の後端縁は、全長に亘って凹溝６０ｅに入り込むように構成してある。また、前記後保持体６０の上壁部６０ｂには、発光体基板７４,７５に設けられた後述するコネクタ部７４ｂ,７５ｂに対応する位置に、該コネクタ部７４ｂ,７５ｂを上側に延出させるコネクタ用切欠部６０ｆ,６０ｇが設けられている。このコネクタ用切欠部６０ｆ,６０ｇは、第１および第２の発光体基板７４,７５におけるコネクタ部７４ｂ,７５ｂの配設位置に対応して形成されて、発光体基板７４,７５が左右で異なる位置に取り付けられたり、前後が逆向きで取り付けられた場合にはコネクタ部７４ｂ,７５ｂが上壁部６０ｂに干渉して適正位置に保持できないようになっている。
【００６０】
(仕切り板６１について)
図１０に示す如く、前記第１の透明パネル５５と第２の透明パネル５６との間には、両透明パネル５５,５６の上端部において光導入端面５５ａ,５６ａに沿って直線状に延在する前記仕切り板６１が挟持されている。この仕切り板６１は、非光透過性の板状部材であって、両透明パネル５５,５６に形成されている図柄の形成領域外において光導入端面５５ａ,５６ａの左右方向の全幅に亘って延在している。また、仕切り板６１の前後方向の厚みは、前記第２の透明パネル５６の後面に突設された前記嵌合部５６ｅの突出寸法と同じに設定されており、第１の透明パネル５５および第２の透明パネル５６は、全体が仕切り板６１および嵌合部５６ｅ,５６ｅによって一定間隔で離間するように保持される。
【００６１】
前記仕切り板６１には、図４,図５,図６に示す如く、該仕切り板６１の延在方向に離間して前後に貫通する複数(実施例では３つ)の貫通孔６１ａが、前記透明パネル５５,５６の各貫通孔５５ｂ,５６ｂと対応する位置に形成されている。そして、第１の透明パネル５５、仕切り板６１および第２の透明パネル５６を、各貫通孔５５ｂ,６１ａ,５６ｂが前後に整合するように重ね合わせた状態で、前記前保持体５９の固定突部６２を３つの貫通孔５５ｂ,６１ａ,５６ｂに挿通することで、両透明パネル５５,５６に対して仕切り板６１が位置決めされるようになっている。また、複数の貫通孔６１ａの離間間隔についても異なるように設定されているので、仕切り板６１の前後面を反転した状態では、両透明パネル５５,５６に対して仕切り板６１は正しい向きでの取り付けができないよう構成される。
【００６２】
前記仕切り板６１の上面(発光体基板７４,７５との対向面)には、前記パネル保持部材５８に保持された発光体基板７４,７５に実装されている後述の第１のパネル発光体７６の列と、第２のパネル発光体７７の列との間に臨む遮光部６１ｂが左右方向に延在するように突設されている。そして、非光透過性の遮光部６１ｂによって、第１のパネル発光体７６の配設領域と、第２のパネル発光体７７の配設領域とが前後に仕切られるように構成してある。実施例の遮光部６１ｂは、図１０に示す如く、前後の厚み寸法が、第１のパネル発光体７６の列と第２のパネル発光体７７の列との間の離間寸法より小さく(実施例では約１／３に)設定されて、該遮光部６１ｂが各パネル発光体７６,７７に接触しないよう構成される。なお、実施例では、遮光部６１ｂの突出寸法は、発光体基板７４,７５の対向面に接触しない値に設定されて、該遮光部６１ｂの突出端と発光体基板７４,７５の対向面との間に隙間を画成するよう構成してある。また、仕切り板６１の上端部には、前記透明パネル５５,５６に形成された位置決め部５５ｃ,５６ｃと対応する位置に位置決め部６１ｃが設けられており、該位置決め部６１ｃが前記後保持体６０に設けた対応する基板保持部６８,６９,７０に係合して位置決めされるようになっている。
【００６３】
(照明部７３について)
前記照明部７３は、図８,図１０に示すように、前記図柄パネル体５４の上部に配設された非光透過性の前記パネル保持部材５８に配設されて前記図柄パネル体５４(第１および第２の透明パネル５５,５６)の光導入端面(外周端面)５５ａ,５６ａに対向する発光体基板７４,７５と、該発光体基板７４,７５に配設されて図柄パネル体５４(第１および第２の透明パネル５５,５６)の光導入端面(外周端面)に向けて光を照射するパネル発光体(発光体)７６,７７とを備えている。すなわち、前記照明部７３のパネル発光体７６,７７を発光させることで、前記図柄パネル体５４(第１および第２の透明パネル５５,５６)に形成された図柄が浮き上がるように表示されて前側から視認可能となるよう構成される。
【００６４】
(発光体基板７４,７５について)
前記照明部７３は、左右方向に並んで２枚の発光体基板７４,７５を備えている。左側に位置する第１の発光体基板７４は、図５,図６に示すように、前記図柄パネル体５４において左右方向に直線状に延在する光導入端面５５ａ,５６ａにおける左右方向の中央から左側の領域に対向する横長矩形状に形成され、実装面を下に向けた姿勢で前記パネル保持部材５８によって光導入端面５５ａ,５６ａに沿って延在するように保持されている。そして、第１の発光体基板７４の下面(図柄パネル体５４の光導入端面５５ａ,５６ａと対向する面)に、図柄パネル体５４へ向けて光を個別に照射可能な前記パネル発光体７６,７７が配設されている。また、右側に位置する第２の発光体基板７５は、図５,図６に示すように、前記図柄パネル体５４において左右方向に直線状に延在する光導入端面５５ａ,５６ａにおける左右方向の中央から右側の領域に対向する横長矩形状に形成され、実装面を下に向けた姿勢で前記パネル保持部材５８によって光導入端面５５ａ,５６ａに沿って延在するように保持されている。そして、第２の発光体基板７５の下面(図柄パネル体５４の光導入端面５５ａ,５６ａと対向する面)に、図柄パネル体５４へ向けて光を個別に照射可能な前記パネル発光体７６,７７が配設されている。なお、実施例では、パネル発光体７６,７７として表面実装型のＬＥＤが設けられているが、これに限られるものではなく、従来公知の発光体を採用可能であることは当然である。
【００６５】
図６に示す如く、前記第１の発光体基板７４の前端縁の１箇所に、第１位置決め凹部７４ａが設けられており、該第１位置決め凹部７４ａを前記前保持体５９に設けた第１位置決め突部５９ｃに嵌めることで、前保持体５９に対して第１の発光体基板７４が正しい位置および向きで取り付けられるよう構成される。また、前記第２の発光体基板７５の前端縁の２箇所に、第２位置決め凹部７５ａが設けられており、該第２位置決め凹部７５ａを前記前保持体５９に設けた第２位置決め突部５９ｄに嵌めることで、前保持体５９に対して第２の発光体基板７５が正しい位置および向きで取り付けられるよう構成される。
【００６６】
(パネル発光体７６,７７)
前記第１および第２の発光体基板７４,７５には、図７,図８,図１０に示すように、前記パネル発光体７６,７７として、前記第１の透明パネル５５の第１光導入端面５５ａに対向すると共に当該第１の透明パネル５５に沿って直線状に列をなすよう配設された複数の第１のパネル発光体７６と、前記第２の透明パネル５６の第２光導入端面５６ａに対向すると共に当該第２の透明パネル５６に沿って直線状に列をなすよう配設された複数の第２のパネル発光体７７とが前後２列で設けられている。そして、第１のパネル発光体７６を発光することにより、前記表示装置１７の表示部１７ａの前側において第１の透明パネル５５に形成された図柄が前側から視認可能に明輝されると共に、第２のパネル発光体７７を発光することにより、表示装置１７の表示部１７ａの前側において第２の透明パネル５６に形成された図柄が前側から視認可能に明輝されるようになっている。
【００６７】
具体的に、前記複数の第１のパネル発光体７６は、前記第１および第２の発光体基板７４,７５に対して、前記第１の透明パネル５５の第１光導入端面５５ａに沿って一定間隔で離間するよう一列に設けられており(図７参照)、第１および第２の発光体基板７４,７５に配設された複数の第１のパネル発光体７６を同時に発光させて第１の透明パネル５５に形成された図柄の全体を前側から視認可能に明輝させ得るようになっている。また、前記複数の第２のパネル発光体７７は、前記第１および第２の発光体基板７４,７５に対して、前記第２の透明パネル５６の第２光導入端面５６ａに沿って一定間隔で離間するよう一列に設けられており(図７参照)、第１および第２の発光体基板７４,７５に配設された複数の第２のパネル発光体７７を同時に発光させて第２の透明パネル５６に形成された図柄の全体を前側から視認可能に明輝させ得るようになっている。
【００６８】
ここで、前記第１のパネル発光体７６の列と、第２のパネル発光体７７の列との間には、図１０に示す如く、前記第１の透明パネル５５と第２の透明パネル５６とで挟持された前記仕切り板６１における発光体基板７４,７５との対向面に突設された前記遮光部６１ｂが臨むように構成されている。すなわち、前記照明部７３は、前記第１のパネル発光体７６の配設領域と、第２のパネル発光体７７の配設領域とが仕切り板６１により前後に仕切られて、第１のパネル発光体７６の光が第２の透明パネル５６に照射されるのを防止すると共に、第２のパネル発光体７７の光が第１の透明パネル５５に照射されるのを防止している。従って、第１のパネル発光体７６を発光させた際には、対応する第１の透明パネル５５に形成された図柄のみを前側から視認可能に明輝し得ると共に、第２のパネル発光体７７を発光させた際には、対応する第２の透明パネル５６に形成された図柄のみを前側から視認可能に明輝し得るようになっている。また、仕切り板６１の前後の面の夫々が対応する第１および第２の透明パネル５５,５６に当接することで、第１および第２のパネル発光体７６,７７の光が対応しない透明パネル５５,５６に入射するのを効果的に防いでいる。
【００６９】
前記第１の発光体基板７４に配設される第１のパネル発光体７６および第２のパネル発光体７７は、図７,図９に示す如く、前記光導入端面５５ａ,５６ａの延在方向にずれて配置されて、第１のパネル発光体７６と第２のパネル発光体７７とが前後方向で重ならないよう構成してある。また、第２の発光体基板７５に配設される第１のパネル発光体７６および第２のパネル発光体７７においても、前記光導入端面５５ａ,５６ａの延在方向にずれて配置されて、第１のパネル発光体７６と第２のパネル発光体７７とが前後方向で重ならないよう構成してある。具体的には、第１のパネル発光体７６および第２のパネル発光体７７は、光導入端面５５ａ,５６ａの延在方向に千鳥状に配置されると共に、該光導入端面５５ａ,５６ａの延在方向のずれ量は、該パネル発光体７６,７７における光導入端面５５ａ,５６ａの延在方向の幅寸法以上に設定される。すなわち、図８に示すように、発光体基板７４,７５に配設されたパネル発光体７６,７７を前側から見た状態で、左右方向に隣り合うパネル発光体７６,７７は、当該パネル発光体７６,７７の左右方向の幅寸法以上で離間するようになっている。このように、前後に隣り合う第１の透明パネル５５に対応する第１のパネル発光体(一方の発光体)７６と、第２の透明パネル５６に対応する第２のパネル発光体(他方の発光体)７７とを、前後方向で重ならないように透明パネル５５,５６の外周端面に沿う方向でずらして配置することで、各パネル発光体７６,７７の周囲に放熱用のスぺースを確保しつつパネル発光体７６,７７を配設するために必要となる前後寸法を小さく抑えるようにしている。
【００７０】
図１０(ａ),(ｂ)に示す如く、前記パネル保持部材５８に保持された第１の透明パネル５５の第１光導端面５５ａに対応して、第１のパネル発光体７６は、第１および第２の発光体基板７４,７５の前後方向の略中央に配置されるのに対し、パネル保持部材５８に保持された第２の透明パネル５６の第２光導端面５６ａに対応して、第２のパネル発光体７７は、第１および第２の発光体基板７４,７５の前後方向の中央より後側に偏倚して配置されている。また、第１の発光体基板７４の上面には、図６に示す如く、左端部側に１つの第１コネクタ部７４ｂが後側に偏倚して設けられるのに対し、第２の発光体基板７５の上面には、左端部側に偏倚した位置および左右方向の中央の位置の夫々に第２コネクタ部７５ｂが後側に偏倚して設けられている。そして、実施例では、第１の発光体基板７４の第１コネクタ部７４ｂと第２の発光体基板７５の中央に位置する第２コネクタ部７５ｂとが配線を介して接続されると共に、第２の発光体基板７５の左端部側に偏倚して位置する第２コネクタ部７５ｂが、前記上部発光演出装置５０の上部発光基板５０ａに設けられて前記制御装置に電気的に接続するコネクタ部(図示せず)に配線を介して接続されるよう構成される。すなわち、第１の発光体基板７４は、第２の発光体基板７５および上部発光基板５０ａを介して制御装置に電気的に接続されるのに対し、第２の発光体基板７５は、上部発光基板５０ａを介して制御装置に電気的に接続されている。
【００７１】
ここで、前記第１の発光体基板７４に配設された第１のパネル発光体７６のみを発光させた際には、前記第１の透明パネル５５に形成された左側の図柄が明輝され、該第１の発光体基板７４に配設された第２のパネル発光体７７のみを発光させた際には、前記第２の透明パネル５６に形成された左側の図柄が明輝される。また、第２の発光体基板７５に配設された第１のパネル発光体７６のみを発光させた際には、前記第１の透明パネル５５に形成された右側の図柄が明輝され、該第２の発光体基板７５に配設された第２のパネル発光体７７のみを発光させた際には、前記第２の透明パネル５６に形成された右側の図柄が明輝される。すなわち、第１の発光体基板７４または第２の発光体基板７５毎に第１のパネル発光体７６または第２のパネル発光体７７を発光させることで、第１の透明パネル５５または第２の透明パネル５６に形成された図柄を前側から視認可能に明輝させる領域を変更し得るよう構成されている。
【００７２】
〔実施例の作用〕
次に、前述した実施例に係るパチンコ機１０の作用につき説明する。
【００７３】
実施例のパチンコ機１０は、前記遊技領域２１ａの内縁を画成する枠状装飾体４２に形成された開口部４２ａの開口内側にパネル発光装置５３が配設されて、図柄変動演出が行われる表示装置１７の表示部１７ａの前方に当該パネル発光装置５３が重なるよう構成されている。このパネル発光装置５３は、図柄パネル体５４(第１および第２の透明パネル５５,５６)が表示装置１７の表示部１７ａの前方に重なるように備えており、当該パネル発光装置５３のパネル発光体７６,７７を発光することで、図柄パネル体５４(第１および第２の透明パネル５５,５６)に形成された図柄を明輝させて前側から視認し得るよう表示したり、パネル発光体７６,７７を消灯することで、図柄パネル体５４(第１および第２の透明パネル５５,５６)に形成された図柄を前側から視認し得ないように非表示の状態にすることができる。すなわち、前記遊技盤２０(板状部材２１)に形成された遊技領域２１ａの内側で興趣のある発光演出を行うことができ、興趣を向上し得る。また、表示装置１７の表示部１７ａの前方にパネル発光装置５３を配置したことで、当該表示部１７ａでの表示内容に重ね合わせるように図柄パネル体５４(第１および第２の透明パネル５５,５６)に形成された図形を表示させて、意外性の高い発光演出を行うことができる。また、表示装置１７の表示部１７ａで行われる図柄変動演出とは表示方法が異なった見え方の違う透明パネル５５,５６の図柄を図柄変動演出に重なり合わせることで、興趣のある遊技演出を実現できる。
【００７４】
前記パネル発光装置５３は、表示装置１７の表示部１７ａと重なるように複数(２つ)の透明パネル５５,５６を備えているから、表示部１７ａで表示される図柄変動演出に異なる複数の図柄を重ねて表示することができ、演出の多様性を向上し得る。また、パネル発光装置５３の第１および第２のパネル発光体７６,７７の発光および消灯を切り替えるだけで、図柄パネル体５４(第１および第２の透明パネル５５,５６)の図形を前記表示部１７ａに表示される図柄変動演出に重ね合わせることができるから、表示装置１７の表示制御を複雑にすることなく演出の多様化を図り得る。また、前記図柄パネル体５４(第１および第２の透明パネル５５,５６)は、表示装置１７の表示部１７ａから前方に離間した位置に配置されているから、第１および第２のパネル発光体７６,７７を消灯した状態で各透明パネル５５,５６に形成された図柄を一段と目立ち難くすることができ、当該透明パネル５５,５６に形成された図柄が表示部１７ａで表示される演出の邪魔になることはない。更に、前記２枚の発光体基板７４,７５を左右に並べて配置して、各発光体基板７４,７５の各パネル発光体７６,７７を個別に点灯して透明パネル５５,５６の異なる領域に光を照射し得るよう構成したことで、図柄変動演出に重ね合わせる図柄のバリエーションを増やすことができる。
【００７５】
前記透明パネル５５,５６を、前記前保持体５９の固定突部６２と各透明パネル５５,５６に形成した貫通孔５５ｂ,５６ｂとによって適正な関係に維持し得るパネル保持部材５８に、前記各発光体基板７４,７５を複数の基板保持部６３,６４,６５,６８,６９,７０によって位置決め保持するよう構成したので、第１および第２の透明パネル５５,５６の光導入端面５５ａ,５６ａに対して、対応する第１および第２のパネル発光体７６,７７のみが対向する状態を安定して維持することができる。また、前保持体５９に設けた複数の固定突部６２の離間間隔を異ならせているので、透明パネル５５,５６の前後面が反転した状態でパネル保持部材５８が取り付けられるのを防止することができる。更に、前保持体５９に設けた第１位置決め突部５９ｃと第１の発光体基板７４に設けた第１位置決め凹部７４ａとが対応すると共に、前保持体５９に設けた第２位置決め突部５９ｄと第２の発光体基板７５に設けた第２位置決め凹部７５ａとが対応するよう構成したので、パネル保持部材５８に対して両発光体基板７４,７５は適正な位置および向きでのみ取り付けられる。すなわち、パネル保持部材５８に対して透明パネル５５,５６および発光基板７４,７５は適正な位置および向きでしか取り付けられないので、パネル保持部材５８に対して透明パネル５５,５６および発光基板７４,７５を取り付けた状態では透明パネル５５,５６の光導入端面５５ａ,５６ａとパネル発光体７６,７７とを適正な位置関係とすることができる。
【００７６】
ここで、前記パネル発光装置５３は、前後に隣り合う各透明パネル５５,５６に対応する第１のパネル発光体７６および第２のパネル発光体７７を、図９に示す如く、前後方向に重ならないように光導入端面５５ａ,５６ａの延在方向にずらしているので、各パネル発光体７６,７７の周囲に放熱用のスぺースを確保しつつパネル発光体７６,７７を配設するために必要となる前後寸法を小さく抑えることができる。すなわち、第１のパネル発光体７６および第２のパネル発光体７７を前後に重なるように配設する場合は、前後のパネル発光体７６,７７の間に放熱用のスぺースを確保するために両パネル発光体７６,７７の離間間隔を大きく設定する必要があるが、光導入端面５５ａ,５６ａの延在方向にずらすことで、両パネル発光体７６,７７の前後方向の離間間隔を大きくすることなく十分な放熱用のスぺースを確保することができ、パネル発光装置５３を小型化して設置スペースの省スペース化を図り得る。
【００７７】
また、前記発光体基板７４,７５に配設される第１のパネル発光体７６および第２のパネル発光体７７は、対応する透明パネル５５,５６の光導入端面５５ａ,５６ａに沿って直線状に並ぶように設けているので、該パネル発光体７６,７７を配設するために必要となる前後寸法をより小さく抑えることができる。すなわち、複数の透明パネル５５,５６の離間寸法を小さく抑えることができるので、パネル発光装置５３の更なる小型化が可能となる。
【００７８】
前記第１の透明パネル５５および第２の透明パネル５６における光導入端面５５ａ,５６ａ側の端部間に、該光導入端面５５ａ,５６ａに沿って延在するように非光透過性の仕切り板６１を配設したから、前記第１および第２のパネル発光体７６,７７から対応する光導入端面５５ａ,５６ａに向けて照射された光が他方の透明パネル５５,５６側に入射するのを抑制することができる。また、仕切り板６１に設けた遮光部６１ｂを、図９,図１０に示すように、第１のパネル発光体７６の列と第２のパネル発光体７７の列との間に臨ませるようにしたから、第１のパネル発光体７６の光を対応する第１の透明パネル５５の第１光導入端面５５ａのみに入射させ得ると共に、第２のパネル発光体７７の光を対応する第２の透明パネル５６の第１光導入端面５５ａのみに入射させ得る。すなわち、第１のパネル発光体７６の列と第２のパネル発光体７７の列との間に臨ませた遮光部６１ｂ(仕切り板６１)により、第１および第２のパネル発光体７６,７７の点灯・消灯を切り替えた際に対応していない透明パネル５５,５６の図柄の表示・非表示が影響を受ける(意図しないときに図柄が表示されてしまう)のを防ぐことができるから、各パネル発光体７６,７７を利用して所定の発光演出を実行することができる。
【００７９】
また、前記遮光部６１ｂの前後幅寸法は、第１のパネル発光体７６の列と第２のパネル発光体７７の列との間の前後寸法より小さく設定されて、該遮光部６１ｂによって第１のパネル発光体７６の後側および第２のパネル発光体７７の前側の放熱スペースが縮小するのを抑えることができる。すなわち、各パネル発光体７６,７７の周囲に放熱用のスぺースを確保しつつパネル発光体７６,７７から照射される光を対応する透明パネル５５,５６のみに入射させることができる。
【００８０】
また、前記発光体基板７４,７５を挟持する非光透過性のパネル保持部材５８によって、前記透明パネル５５,５６における光導入端面５５ａ,５６ａ側の端部を前後から覆うように構成したので、外部からの光が光導入端面５５ａ,５６ａに入射するのを防止することができ、意図しないときに透明パネル５５,５６の図柄が表示されてしまうのを防止することができる。しかも、パネル保持部材５８は、パネル発光装置５３を枠状装飾体４２に取り付けるための部材としても機能しているので、光導入端面５５ａ,５６ａに外部から光が入射するのを防止する部材を別途設ける必要はなく構成を簡単化し得る。
【００８１】
実施例のパチンコ機１０では、図２,図３に示す如く、前記枠状装飾体４２の設置開口にパネル発光装置５３を配設した状態で、前記透明パネル５５,５６の下端部と枠状装飾体４２の庇状部４４との間に隙間Ｓが画成されている。すなわち、透明パネル５５,５６は、該隙間Ｓに臨む外周端面から放熱し得るので、前記照明部７３からの熱や周囲温度によって透明パネル５５,５６が熱変形するのを防止することができ、図柄を適正に表示し得る。また、前後に重なる透明パネル５５,５６の間の空間に熱気がこもるのを抑制することができ、透明パネル５５,５６の熱変形を抑制し得る。また、透明パネル５５,５６と庇状部４４との間に隙間Ｓを画成することで、該隙間Ｓを介して透明パネル５５,５６の裏側に位置する演出部材２８が遊技盤２０の前側から直接視認可能となる。すなわち、透明パネル５５,５６を透して見える演出部材２８と、該透明パネル５５,５６を透すことなく直接視認可能な演出部材２８との見え方の違いによって演出の興趣を向上することができる。
【００８２】
(変更例)
本願発明は、前述した実施例の構成に限定されるものではなく、その他の構成を適宜に採用することができる。
(１)  実施例では、遊技領域が形成された遊技領域形成部材(板状部材)に形成した嵌合部(装着口)に枠状装飾体を配設して、当該枠状装飾体の開口内側にパネル発光装置の透明パネルを位置させることで、当該枠状装飾体を介して透明パネルが嵌合部(装着口)の開口内側に配設されるよう構成したが、当該枠状装飾体を介することなく透明パネルを嵌合部の開口内側に直接配設するようにしてもよい。また、枠状装飾体とは別の部材を遊技領域形成部材(板状部材)に形成した嵌合部(装着口)に配設して、当該別部材の開口部に透明パネルを位置させる構成であってもよい。
(２)  実施例では２枚の透明パネルを前後に重なるように配設したが、透明パネルの配設数は３つ以上であってもよく、透明パネルの配設数に応じて発光体基板に配設する発光体の列数を設定すればよい。
(３)  実施例では複数の透明パネルに挟持された仕切り板に設けた遮光部が発光体基板に接触しない場合で説明したが、該遮光部の延出端を発光体基板の対向面(発光体の実装面)に当接させる構成を採用し得る。
(４)  実施例では、透明パネルの光導入端面(外周端面)に向けて光を照射する発光体が配設される発光体基板を２つに分割した場合で説明したが、発光体基板は１つであっても３つ以上であってもよい。
(５)  実施例の透明パネルは、表示装置の表示部の前面全体が重なる大きさで形成したが、表示装置の表示部の一部と透明パネルとが重なるようにしてもよい。
【００８３】
(６)  実施例では、前後に重なる２つの透明パネルの外郭形状が略整合するよう形成したが、前後に重なる透明パネルの外郭形状を異ならせてもよく、任意の形状に形成することができる。前後に重なる透明パネルの外郭形状を略整合する形状に形成して、枠状装飾体の開口部(設置開口)を塞ぐことで、当該透明パネルの存在自体を遊技者に知覚され難くし得る利点がある。
(７)  実施例では、透明パネルの上端部に沿って延在するよう発光体基板を配設したが、当該透明パネルの左右側端部や下端部に沿って延在するよう発光体基板を設けるようにしてもよい。また、発光体基板が対向する透明パネルの端部(外周端面)は直線状に延在させる必要はなく、当該端部(外周端面)を曲線状に形成することもできる。例えば、発光体基板として厚み方向に可撓変形可能なフレキシブル基板を採用して、曲線状に形成した透明パネルの端部(外周端面)に沿って延在するよう発光体基板を配設することが可能である。
(８)  実施例では、遊技領域が形成された遊技領域形成部材(板状部材)に形成した嵌合部(装着口)に枠状装飾体を配設して、当該枠状装飾体の開口内側にパネル発光装置の複数の透明パネルを位置させるよう構成したが、表示装置の表示部の前方に重なるように透明パネルが位置する構成であれば、遊技領域形成部材(板状部材)に透明パネルを配設する構成でなくともよい。すなわち、前後に重なる複数の透明パネルは、表示装置の表示部の前方に位置するよう配設されて当該表示装置の表示部の前方に重なるように位置し、外周端面から内部に導入された光が反射することで前側から視認可能となる図柄が形成された構成とすることができる。
(９)  実施例では、遊技機としてパチンコ機を例示して説明したが、これに限られるものではなく、アレンジボール機やピンボール機等の各種遊技機を採用し得る。すなわち、遊技領域が形成された遊技領域形成部材と、遊技領域形成部材の裏側に配設された空間画成部材と、空間画成部材の裏側に配設された表示装置とを備えるよう構成された遊技機に対して好適に採用可能である。
【００８４】
(１０)  遊技機としては、遊技媒体としての遊技球(パチンコ球)を遊技領域形成部材の遊技領域に打ち出して遊技を行う遊技機に限らず、遊技媒体としての遊技球またはメダルを予め定めた数消費(投入)することで１回の遊技が実行されるスロットマシン機(回胴式遊技機)に対して適用することも可能である。すなわち、スロットマシン機に設けられた演出表示を表示可能な表示手段の表示部の前方に重なるように、外周端面から内部に導入された光が反射することで前側から視認可能となる図柄が形成された複数の透明パネルを前後に重なるように配設すると共に、透明パネルの外周端面に沿って延在する発光体基板における各透明パネルとの対向面に、当該透明パネルの外周端面へ向けて光を照射する発光体を当該外周端面に沿って列をなすよう配設するようにしてもよい。
【００８５】
ここで、表示手段の前側に透明パネルが配設されるスロットマシン機の具体的構成について説明する。スロットマシン機は、前方へ開口する箱状の筐体に、外周部に識別情報としての複数の図柄が表示された複数(例えば３つ)のリール(回転体)を有する表示装置が収容されると共に、当該筐体の前方開口を塞ぐ前扉が開閉可能に備えられており、当該前扉の表示窓部を介して回転体を前側から視認し得るよう構成されている。また、スロットマシン機の前面(前扉の前面)には、開始操作手段としてのスタートレバーが設けられて、当該スタートレバーを遊技者が傾倒操作することを契機に各回転体が回転して図柄が変動開始すると共に、遊技利益を付与するか否かに関連した当否判定が行われるようになっている。そして、スロットマシン機の前面(前扉の前面)に、停止操作手段としてのストップボタンが各回転体に対応して設けられており、当該ストップボタンを遊技者が押圧操作することを契機として当否判定に応じた図柄の組み合わせが表示窓部に表示されるよう各回転体の回転が停止されて、全ての回転体の回転が停止したときに導出された表示結果(有効ライン上の図柄の並び順序等)に従って、当該図柄変動に伴う演出の終了後に各種の遊技利益が付与されるよう構成されている。なお、当否判定の結果として付与される遊技利益としては、小役(役の種類毎に定められた数の遊技媒体が払い出される利益を遊技者に与える役)、ボーナス(次のゲームから遊技者にとって有利な遊技状態へ移行されるという利益を遊技者に与える遊技状態)等がある。
【００８６】
また、スロットマシン機には、スタートレバーの操作に伴って行われる前記当否判定の結果に応じた演出を表示可能な演出表示装置が、前記表示窓部の上方や下方あるいは左右側方に位置するよう前記筐体や前扉に配設されたものがある。このような演出表示手段を備えたスロットマシン機にあっては、当該演出表示手段の表示部の前方に重なるように、外周端面から内部に導入された光が反射することで前側から視認可能となる図柄が形成されて前後に重なる複数の透明パネルを配設すると共に、透明パネルの外周端面に沿って延在する発光体基板における各透明パネルとの対向面に、当該透明パネルの外周端面へ向けて光を照射する発光体を当該外周端面に沿って列をなすよう配設するようにしてもよい。すなわち、透明パネルと表示部が前後に重なる表示手段としては、図柄変動演出を行う回転体であってもよく、また当該回転体とは別に設けた演出表示用の表示手段であってもよい。
【００８７】
ここで、前後に重なる複数の前記透明パネルは、当該透明パネルの前側に位置するよう前記筐体や前扉に透明パネル支持部材を配設し、当該透明パネル支持部材に前方または後方へ開口する嵌合部を形成することで、前述した遊技領域形成部材(板状部材)に形成した嵌合部に複数の透明パネルを配設した実施例のパチンコ機と同様に構成することができる。また、複数の透明パネルを枠状体に取り付けて透明パネル支持部材の嵌合部に配設することも可能である。
【符号の説明】
【００８８】
１７ 表示装置
１７ａ 表示部
２１ 板状部材(遊技領域形成部材)
２１ａ 遊技領域
２１ｂ 装着口(嵌合部)
２８ 演出部材
４２ 枠状装飾体(枠状の保持部材)
４２ａ 開口部
４４ 庇状部
４６ ステージ
５３ パネル発光装置(発光演出装置)
５５ 第１の透明パネル(透明パネル)
５５ａ 第１光導入端面(光導入端面)
５６ 第２の透明パネル(透明パネル)
５６ａ 第２光導入端面(光導入端面)
５８ パネル保持部材(基板保持部材)
６１ 仕切り板
６１ｂ 遮光部
７４ 第１発光体基板(発光体基板)
７５ 第２発光体基板(発光体基板)
７６ 第１のパネル発光体(発光体)
７７ 第２のパネル発光体(発光体)
Ｓ 隙間
【図１】
0006263101.tif 000002
【図２】
0006263101.tif 000003
【図３】
0006263101.tif 000004
【図４】
0006263101.tif 000005
【図５】
0006263101.tif 000006
【図６】
0006263101.tif 000007
【図７】
0006263101.tif 000008
【図８】
0006263101.tif 000009
【図９】
0006263101.tif 000010
【図１０】
0006263101.tif 000011
【図１１】
0006263101.tif 000012